(57)【要約】【課題】様々な大きさの太陽電池パネルを折板屋根に取り付けることができる太陽電池パネル取付部材を提供する。【解決手段】折板屋根（２）に固定された支持部材（１０）と、支持部材（１０）に固定されたレール部材（２０）と、太陽電池パネル（３）の端部を把持するキャッチ部材（３０）とを備えており、キャッチ部材（３０）は、レール部材（２０）の長手方向に沿った任意の位置においてレール部材（２０）に固定可能である。【選択図】図１
2016141990.tif 000002
【特許請求の範囲】
【請求項１】
折板屋根に太陽電池パネルを取り付けるための太陽電池パネル取付部材であって、
上記折板屋根の頂部の形状に対応する凹形状を有しており、上記折板屋根に固定される支持部材と、
上記支持部材に固定されるレール部材と、
上記レール部材に固定されるとともに上記太陽電池パネルの端部を把持するキャッチ部材と、を備えており、
上記キャッチ部材は、上記レール部材の長手方向に沿った任意の位置において上記レール部材に固定可能であることを特徴とする太陽電池パネル取付部材。
【請求項２】
上記レール部材を上記支持部材に固定するためのレール固定部材を備えており、
上記レール部材の側面には孔部が設けられており、
上記レール固定部材は、締結部品を用いて上記支持部材に固定されるとともに、上記孔部に引っ掛けて上記レール部材を固定するための第１掛止部を備えていることを特徴とする請求項１に記載の太陽電池パネル取付部材。
【請求項３】
上記キャッチ部材は、上記孔部に引っ掛けて固定するための第２掛止部を備えていることを特徴とする請求項２に記載の太陽電池パネル取付部材。
【請求項４】
上記折板屋根は、互いに隣り合う折板の頂部を、貫通ボルトにより固定する重ね式折板屋根であり、
上記支持部材は、上記貫通ボルトを用いて上記重ね式折板屋根に固定されることを特徴とする請求項１〜３の何れか１項に記載の太陽電池パネル取付部材。
【請求項５】
上記キャッチ部材は、上記太陽電池パネルの端部を把持する第１把持部と、他の上記太陽電池パネルの端部を把持する第２把持部とを備えていることを特徴とする請求項１〜４の何れか１項に記載の太陽電池パネル取付部材。
【請求項６】
上記レール固定部材には、上記支持部材に固定する際に用いる上記締結部品が挿通する開口部が設けられており、
上記開口部は縦長形状であり、
上記レール固定部材を用いて上記レール部材を上記支持部材に固定したとき、上記開口部の長手方向は、上記支持部材における上記レール部材との対向面に対して傾斜していることを特徴とする請求項２に記載の太陽電池パネル取付部材。
【請求項７】
折板屋根に太陽電池パネルを取り付けるための太陽電池パネル取付方法であって、
上記折板屋根の頂部に、上記頂部の形状に対応する凹形状を有する支持部材を固定する支持部材固定工程と、
レール部材を上記支持部材に固定するレール部材固定工程と、
上記レール部材に沿って、上記太陽電池パネルの大きさに応じた位置に、上記太陽電池パネルの端部を把持するキャッチ部材を固定するキャッチ部材固定工程と、を含んでいることを特徴とする太陽電池パネル取付方法。
【発明の詳細な説明】
【技術分野】
【０００１】
本発明は、太陽電池パネル取付部材および太陽電池パネル取付方法に関する。
【背景技術】
【０００２】
住宅の屋根や壁面に太陽電池パネルを取り付けて発電する住宅用の太陽光発電システムが知られている。太陽電池パネルは、粘土瓦、スレートなど、様々な屋根材に取り付けることができる。
【０００３】
特許文献１には、折板屋根取り付け用太陽電池パネルアレイおよびその取り付け構造が開示されている。特許文献１の取り付け構造は、太陽電池パネルの横方向縁部を押さえる押し縁を、タイトフレームに加締められたボルトに挿通し、ナットで締め付けることによって固定している。これにより、太陽電池パネルを重ね式折板屋根に取り付けている。
【先行技術文献】
【特許文献】
【０００４】
【特許文献１】特開２００２−１８０６０９号公報（２００２年６月２６日公開）
【発明の概要】
【発明が解決しようとする課題】
【０００５】
しかしながら、特許文献１の構造では、太陽電池パネルを固定するための押し縁を、タイトフレームに加締められたボルトを用いて固定しているため、押し縁の取付位置は折板屋根の頂部においてボルトが突出しいている位置に限定されてしまう。そのため、太陽電池パネルのサイズによっては適切に固定することができない場合がある。
【０００６】
そこで、本発明は、上記の課題に鑑みなされたものであって、その目的は、様々な大きさの太陽電池パネルを折板屋根に取り付けることができる太陽電池パネル取付部材および太陽電池パネル取付方法を提供することにある。
【課題を解決するための手段】
【０００７】
上記の課題を解決するために、本発明の態様１に係る太陽電池パネル取付部材は、折板屋根に太陽電池パネルを取り付けるための太陽電池パネル取付部材であって、上記折板屋根の頂部の形状に対応する凹形状を有しており、上記折板屋根に固定される支持部材と、上記支持部材に固定されたレール部材と、上記レール部材に固定されるとともに上記太陽電池パネルの端部を把持するキャッチ部材と、を備えており、上記キャッチ部材は、上記レールに沿った任意の位置において上記レール部材に固定可能であることを特徴とする。
【０００８】
上記の構成によれば、キャッチ部材は、太陽電池パネルの大きさに応じて、レールに沿った任意の位置においてレール部材に固定可能である。そのため、上記太陽電池パネル取付部材を用いることによって、様々な大きさの太陽電池パネルを折板屋根に取り付けることができる。
【０００９】
本発明の態様２に係る太陽電池パネル取付部材は、上記態様１において、上記レール部材を上記支持部材に固定するためのレール固定部材を備えており、上記レール部材の側面には孔部が設けられており、上記レール固定部材は、締結部品を用いて上記支持部材に固定されるとともに、上記孔部に引っ掛けて上記レール部材を固定するための第１掛止部を備えている構成であってもよい。
【００１０】
上記の構成によれば、レール固定部材の第１掛止部をレール部材の側面の孔部に引っ掛けることによって、長手方向に沿ったレール部材の移動を防止することができる。これにより、折板屋根が傾斜している場合であっても、太陽電池パネルの荷重によりレール部材が支持部材から外れることを防止することができる。
【００１１】
本発明の態様３に係る太陽電池パネル取付部材は、上記態様２において、上記キャッチ部材は、上記孔部に引っ掛けて固定するための第２掛止部を備えている構成であってもよい。
【００１２】
上記の構成によれば、キャッチ部材の第２掛止部をレール部材の側面の孔部に引っ掛けることによって、レール部材の長手方向に沿ったキャッチ部材の移動を防止することができる。これにより、折板屋根が傾斜している場合であっても、太陽電池パネルの荷重によりキャッチ部材が所望の固定位置からずれてしまうことを防止することができる。
【００１３】
本発明の態様４に係る太陽電池パネル取付部材は、上記態様１〜３の何れかにおいて、上記折板屋根は、互いに隣り合う折板の頂部を、貫通ボルトにより固定する重ね式折板屋根であり、上記支持部材は、上記貫通ボルトを用いて上記重ね式折板屋根に固定される構成であってもよい。
【００１４】
上記の構成によれば、通常の重ね式折板屋根に用いる貫通ボルトを用いて支持部材を重ね式折板屋根に固定することができる。そのため、上記の太陽電池パネル取付部材を用いることによって、部品点数を過度に増加させることなく、施工性を高めて、太陽電池パネルを折板屋根に取り付けることができる。
【００１５】
本発明の態様５に係る太陽電池パネル取付部材は、上記態様１〜４の何れかにおいて、上記キャッチ部材は、上記太陽電池パネルの端部を把持する第１把持部と、他の上記太陽電池パネルの端部を把持する第２把持部とを備えている構成であってもよい。
【００１６】
上記の構成によれば、２枚の太陽電池パネルを並べて折板屋根に固定する場合、１つのキャッチ部材により、上記２枚の太陽電池パネルの端部を把持することができる。これにより、部品点数を削減することができる。
【００１７】
本発明の態様６に係る太陽電池パネル取付部材は、上記態様２において、上記レール固定部材には、上記支持部材に固定する際に用いる上記締結部品が挿通する開口部が設けられており、上記開口部は縦長形状であり、上記レール固定部材を用いて上記レール部材を上記支持部材に固定したとき、上記開口部の長手方向は、上記支持部材における上記レール部材との対向面に対して傾斜している構成であってもよい。
【００１８】
上記の構成によれば、レール固定部材を用いて支持部材とレール部材とを連結した場合、折板屋根が傾斜している場合であっても、開口部における締結部品の位置ずれを防止することができ、これにより、支持部材に対するレール部材の相対的な位置ずれを防止することができる。
【００１９】
さらに、上記の構成によれば、締結部品を用いてレール固定部材を支持部材に固定する際、支持部材に対するレール部材の相対位置を、開口部に沿って調整することができる。ここで、開口部は、上記対向面に対して傾斜した縦長形状であるため、レール固定部材の固定位置を高さ方向に調整することができる。これにより、太陽電池パネルの設置角度を調整することができ、高効率の太陽光発電を実現することができる。
【００２０】
また、上記の課題を解決するために、本発明の態様７に係る太陽電池パネル取付方法は、折板屋根に太陽電池パネルを取り付けるための太陽電池パネル取付方法であって、上記折板屋根の頂部に、上記頂部の形状に対応する凹形状を有する支持部材を固定する支持部材固定工程と、レールを備えているレール部材を上記支持部材に固定するレール部材固定工程と、上記レールに沿って、上記太陽電池パネルの大きさに応じた位置に、上記太陽電池パネルの端部を把持するキャッチ部材を固定するキャッチ部材固定工程と、を含んでいることを特徴とする。
【発明の効果】
【００２１】
本発明によれば、様々な大きさの太陽電池パネルを折板屋根に取り付けることができる。
【図面の簡単な説明】
【００２２】
【図１】本発明の実施形態１に係る太陽電池パネル取付部材を用いて折板屋根に太陽電池パネルを取り付けた状態を示す斜視図である。
【図２】重ね式折板屋根の要部の構成を示す図であり、（ａ）は折板の斜視図であり、（ｂ）は折板同士の接合部を示す側面図である。
【図３】本発明の実施形態１に係る太陽電池パネル取付部材の支持部材の構成を示す図であり、（ａ）は平面図であり、（ｂ）は側面図であり、（ｃ）は（ａ）のＡ−Ａ線矢視断面図である。
【図４】本発明の実施形態１に係る太陽電池パネル取付部材のレール部材の構成を示す図であり、（ａ）は平面図であり、（ｂ）は側面図であり、（ｃ）は（ａ）のＢ−Ｂ線矢視断面図である。
【図５】本発明の実施形態１に係る太陽電池パネル取付部材のレール固定部材の構成を示す斜視図である。
【図６】本発明の実施形態１に係る太陽電池パネル取付部材のキャッチ部材の構成を示す斜視図である。
【図７】折板屋根に支持部材を固定した状態を示す図である。
【図８】支持部材にレール部材を固定した状態を示す斜視図である。
【図９】支持部材とレール部材との連結部分の側面図である。
【図１０】レール部材にキャッチ部材を取り付けた状態を示す斜視図である。
【図１１】（ａ）は、本発明の実施形態２に係る太陽電池パネル取付部材のキャッチ部材の構成を示す斜視図であり、（ｂ）は、キャッチ部材により太陽電池パネルを把持した状態を示す側面図である。
【図１２】（ａ）は、本発明の実施形態３に係る太陽電池パネル取付部材のキャッチ部材の構成を示す斜視図であり、（ｂ）は、キャッチ部材により太陽電池パネルを把持した状態を示す斜視図である。
【図１３】（ａ）および（ｂ）は、本発明の実施形態４に係る太陽電池パネル取付部材のレール固定部材の構成を示す斜視図であり、（ｃ）は、支持部材とレール部材との連結部分の側面図である。
【発明を実施するための形態】
【００２３】
〔実施形態１〕
以下、本発明の実施の形態について、図１〜１０に基づいて詳細に説明する。
【００２４】
＜太陽電池パネル取付部材＞
図１は、本実施形態の太陽電池パネル取付部材を用いて折板屋根に太陽電池パネルを取り付けた状態を示す斜視図である。
【００２５】
本実施形態の太陽電池パネル取付部材１は、折板屋根に太陽電池パネル３を取り付けるための部材であり、特に、重ね式折板屋根２に太陽電池パネル３を取り付ける部材として好適に用いることができる。
【００２６】
太陽電池パネル取付部材１は、折板屋根に固定される支持部材１０と、支持部材１０の上面に載置されて固定されるレール部材２０と、レール部材２０に固定されるとともに太陽電池パネル３の端部を把持するキャッチ部材３０と、レール部材２０を支持部材１０に固定するためのレール固定部材４０と、を備えている。
【００２７】
（重ね式折板屋根）
図２は重ね式折板屋根の要部の構成を示す図であり、（ａ）は折板の斜視図であり、（ｂ）は折板同士の接合部を示す側面図である。
【００２８】
図２に示すように、重ね式折板屋根は、図示しない鉄骨下地（梁）の上に所定の間隔で配置されたタイトフレーム４に、端部を重ねるようにして折板５を葺くことによって形成された屋根である。折板５は、頂部と底部とを交互に有するように折り曲げられており、互いに隣り合う折板５は、頂部を貫通する貫通ボルト６を用いてタイトフレーム４に固定されている。
【００２９】
（支持部材１０）
図３は本実施形態の太陽電池パネル取付部材の支持部材の構成を示す図であり、（ａ）は平面図であり、（ｂ）は側面図であり、（ｃ）は（ａ）のＡ−Ａ線矢視断面図である。
【００３０】
図３の（ａ）〜（ｃ）に示すように、支持部材１０は、概略的にはリップ溝型鋼（Ｃ形鋼）であり、その底面１１は、折板屋根の頂部の形状に対応する凹形状を有している。底面１１には、支持部材１０を折板屋根２にボルト締めするための貫通穴１２が設けられている。
【００３１】
支持部材１０の側面１３には、レール固定部材４０をボルト締めして固定するための穴１４が設けられている。レール固定部材４０の固定位置の自由度を高めるために、穴１４の数は多いことが好ましい。本実施形態の支持部材１０の各側面１３には、穴１４が３つずつ設けられている。
【００３２】
（レール部材２０）
図４は本実施形態の太陽電池パネル取付部材のレール部材の構成を示す図であり、（ａ）は平面図であり、（ｂ）は側面図であり、（ｃ）は（ａ）のＢ−Ｂ線矢視断面図である。
【００３３】
図４の（ａ）〜（ｃ）に示すように、レール部材２０は、リップ溝型鋼（Ｃ形鋼）である。レール部材２０の側面２１には、複数の孔部２２が設けられている。孔部２２は、レール部材２０の長手方向に沿った横長の形状を有しており、レール部材２０の長手方向に沿って複数の孔部２２が配列されている。孔部２２の大きさおよび孔部２２の数は特に限定されず、適宜設計することができる。
【００３４】
（レール固定部材４０）
図５は本実施形態の太陽電池パネル取付部材のレール固定部材の構成を示す斜視図である。
【００３５】
図５に示すように、レール固定部材４０は、平板状の本体部４１と、本体部４１から略９０°曲げられた掛止部４２（第１掛止部）とを備えている。本体部４１には、長方形状（縦長形状）の開口部４３が設けられている。
【００３６】
（キャッチ部材３０）
図６は本実施形態の太陽電池パネル取付部材のキャッチ部材の構成を示す斜視図である。
【００３７】
図６に示すように、キャッチ部材３０は、太陽電池パネル３の端部を把持するＺ形鋼の把持部３１と、平板状の固定部３２と、ボルト３３とを備えている。
【００３８】
把持部３１の一つの面と、固定部３２の略中央部には、ボルト３３が挿通される穴が設けられており、ボルトとナットとを締めることにより把持部３１と固定部３２との間隔を調整可能である。
【００３９】
図６では、六角形状の固定部３２を用いたキャッチ部材３０を例示しているが、固定部３２の形状は特に限定されず、正方形状であってもよい。
【００４０】
＜太陽電池パネル取付工程＞
以下、重ね式折板屋根に太陽電池パネルを取り付けるための太陽電池パネル取付工程（太陽電池パネル取付方法）について、図７〜１０に基づいて説明する。
【００４１】
図７は、折板屋根に支持部材を固定した状態を示す図である。
【００４２】
図８は、支持部材にレール部材を固定した状態を示す斜視図である。
【００４３】
図９は、支持部材とレール部材との連結部分の側面図である。
【００４４】
図１０は、レール部材にキャッチ部材を取り付けた状態を示す斜視図である。
【００４５】
太陽電池パネル取付工程では、第一に、図７に示すように、支持部材１０の底面１１の凹形状を重ね式の折板屋根２の頂部に合わせるようにして、取り付けようとする太陽電池パネル３の大きさに応じて所定の数の支持部材１０を所定の間隔で重ね式の折板屋根２に載置するとともに、ボルト締めにより固定する（支持部材固定工程）。
【００４６】
このとき、折板５をタイトフレームに固定するための貫通ボルト６を、支持部材１０の貫通穴１２に挿通させて支持部材１０を固定することが好ましい。
【００４７】
このように、折板５をタイトフレームに固定するための貫通ボルト６を用いて支持部材１０を固定することにより、支持部材１０を折板屋根２に固定するための特別な部材を必要とせず、部品点数を少なくすることができる。
【００４８】
次に、図８に示すように、レール固定部材４０を用いて、レール部材２０を支持部材１０の上面に載置した状態で固定する（レール部材固定工程）。具体的には、図９に示すように、支持部材１０の上面にレール部材２０を載置した状態で、レール固定部材４０の掛止部４２をレール部材２０の孔部２２に掛止するとともに、レール固定部材４０の開口部４３を支持部材１０の穴１４を挿通するボルト（締結部品）を用いて締め付け固定する。
【００４９】
次に、図１０に示すように、レール部材２０にキャッチ部材３０を固定する（キャッチ部材固定工程）。具体的には、把持部３１と固定部３２とでレール部材２０の端部２３を挟み、レール部材２０の長手方向に沿って所望の位置までキャッチ部材３０をスライドさせた後、ボルト締めにより把持部３１と固定部３２とによりレール部材２０の端部２３を挟み込むことによって、レール部材２０にキャッチ部材を固定する。
【００５０】
そして、図１に示すように、キャッチ部材３０の把持部３１で太陽電池パネル３の端部を把持するように太陽電池パネル３を配置する。そして、太陽電池パネル３の他端を他のキャッチ部材３０により把持する。このように、太陽電池パネル３の両端部をキャッチ部材３０で挟み込んで固定することによって、太陽電池パネル３を折板屋根２に取り付けることができる。
【００５１】
本実施形態の太陽電池パネル取付部材１を用いた太陽電池パネル取付工程によれば、レール部材２０の長手方向に沿ってキャッチ部材３０をスライドさせ、太陽電池パネルの大きさに応じた任意の位置においてキャッチ部材３０をレール部材２０に固定することができる。そのため、様々な大きさの太陽電池パネル３を折板屋根２に取り付けることができる。
【００５２】
〔実施形態２〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【００５３】
図１１の（ａ）は、本実施形態の太陽電池パネル取付部材のキャッチ部材の構成を示す斜視図であり、図１１の（ｂ）は、本実施形態の太陽電池パネル取付部材のキャッチ部材により太陽電池パネルを把持した状態を示す側面図である。
【００５４】
図１１の（ａ）・（ｂ）に示すように、本実施形態の太陽電池パネル取付部材のキャッチ部材１３０は、太陽電池パネル３Ａの端部を把持する第１把持部１３１と、他の太陽電池パネル３Ｂの端部を把持する第２把持部１３２とを備えている。
【００５５】
本実施形態のキャッチ部材１３０を用いることによって、２枚の太陽電池パネル３Ａ・３Ｂを並べて折板屋根に取り付ける場合、１つのキャッチ部材により、２枚の太陽電池パネル３Ａ・３Ｂの端部を把持することができる。これにより、部品点数を削減することができる。
【００５６】
〔実施形態３〕
本発明の他の実施形態について、図１２に基づいて説明すれば、以下のとおりである。なお、説明の便宜上、前記実施形態にて説明した部材と同じ機能を有する部材については、同じ符号を付記し、その説明を省略する。
【００５７】
図１２の（ａ）は、本実施形態の太陽電池パネル取付部材のキャッチ部材の構成を示す斜視図であり、図１２の（ｂ）は、本実施形態の太陽電池パネル取付部材のキャッチ部材により太陽電池パネルを把持した状態を示す斜視図である。
【００５８】
図１２の（ａ）・（ｂ）に示すように、本実施形態の太陽電池パネル取付部材のキャッチ部材２３０は、太陽電池パネル３の端部を把持する把持部３１と、レール部材２０の孔部２２の端部に引っ掛けて固定するため掛止部２３２（第２掛止部）とを備えている。
【００５９】
本実施形態のキャッチ部材２３０を用い、キャッチ部材２３０の掛止部２３２をレール部材２０の側面の孔部２２に引っ掛けることによって、レール部材２０の長手方向に沿ったキャッチ部材２３０の移動を防止することができる。これにより、折板屋根２が傾斜している場合であっても、太陽電池パネル３の荷重によりキャッチ部材２３０が所望の固定位置からずれてしまうことを防止することができる。
【００６０】
〔実施形態４〕
本発明の他の実施形態について、図１３に基づいて説明すれば、以下のとおりである。なお、説明の便宜上、前記実施形態にて説明した部材と同じ機能を有する部材については、同じ符号を付記し、その説明を省略する。
【００６１】
図１３の（ａ）および（ｂ）は、本実施形態の太陽電池パネル取付部材のレール固定部材の構成を示す斜視図であり、図１３の（ｃ）は、支持部材とレール部材との連結部分の側面図である。
【００６２】
図１３の（ａ）に示すように、レール固定部材１４０Ａは、本体部４１とのなす角度が略９０°となるように曲げられた掛止部４２と、掛止部４２とのなす角度が略６５°となるように曲げ返された先端部４４と、を備えている。
【００６３】
また、図１３の（ｂ）に示すように、レール固定部材１４０Ｂは、本体部４１とのなす角度が略９０°となるように曲げられた掛止部４２と、掛止部４２とのなす角度が略６５°となるように曲げ返された先端部４４と、を備えている。
【００６４】
上記の構成によれば、支持部材１０とレール固定部材２０とを挟むようにして、レール固定部材１４０Ａとレール固定部材１４０Ｂとを互いに対向させ、それぞれの掛止部４２および先端部４４をレール部材２０の孔部２２に掛止することによって、レール部材２０からレール固定部材１４０Ａ・１４０Ｂが外れることを防止することができる。これにより、レール固定部材１４０Ａ・１４０Ｂを用いて、レール部材２０を支持部材１０に確実に固定することができる。
【００６５】
また、図１３の（ａ）に示すように、本実施形態のレール固定部材１４０Ａの開口部１４３Ａの長手方向は、掛止部４２（第１掛止部）の長手方向に対して傾斜している。
【００６６】
また、図１３の（ｃ）に示すように、レール固定部材１４０を用いて支持部材１０とレール部材２０とを連結したとき、開口部１４３Ａの長手方向は、支持部材１０とレール部材２０との接触面に対して傾斜している。なお、図１３の（ｃ）に示すように、図中右側が折板屋根２の頂部（棟）に近い上側であり、図中左側が折板屋根２の頂部（棟）から遠い下側である場合、レール固定部材１４０の開口部１４３Ａは、図中右下から左上にかけて開口していることが好ましい。
【００６７】
図示を省略するが、同様に、図中右側が頂部（棟）に近い上側であり、図中左側が頂部（棟）から遠い下側である場合、レール固定部材１４０Ｂの開口部１４３Ａは、図中右下から左上にかけて開口していることが好ましい。
【００６８】
実施形態１のレール固定部材４０を用いて支持部材１０とレール部材２０とを連結した場合であって、折板屋根２が傾斜している場合、支持部材１０とレール部材２０との接触面に平行な方向に、太陽電池パネル３の荷重に応じた力が加わることによって、開口部４３におけるボルトの位置がずれ、支持部材１０に対するレール部材２０の相対的な位置がずれてしまう。
【００６９】
これに対して、本実施形態のレール固定部材１４０Ａ・１４０Ｂを用いて支持部材１０とレール部材２０とを連結した場合、開口部１４３Ａ・１４３Ｂの長手方向が支持部材１０におけるレール部材２０との対向面に対して傾斜しているため、折板屋根２が傾斜している場合であっても、開口部１４３Ａ・１４３Ｂにおけるボルトの位置ずれを防止することができ、これにより、支持部材１０に対するレール部材２０の相対的な位置ずれを防止することができる。
【００７０】
さらに、本実施形態のレール固定部材１４０Ａ・１４０Ｂおよびボルトを用いてレール固定部材２０を支持部材１０に固定する際、支持部材１０に対するレール部材２０の相対位置を、開口部１４３Ａ・１４３Ｂに沿って調整することができる。ここで、開口部１４３Ａ・１４３Ｂは、上記対向面に対して傾斜した縦長形状であるため、レール固定部材２０の固定位置を高さ方向に調整することができる。これにより、太陽電池パネル３の設置角度を調整することができ、高効率の太陽光発電を実現することができる。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７２】
本発明は、太陽電池パネルを取り付けた折板屋根の工法として好適に利用することができる。
【符号の説明】
【００７３】
１  太陽電池パネル取付部材
２  折板屋根
３、３Ａ、３Ｂ  太陽電池パネル
５  折板
６  貫通ボルト
１０  支持部材
２０  レール部材
２２  孔部
３０、１３０、２３０  キャッチ部材
３１  把持部
４０、１４０  レール固定部材
４２  掛止部（第１掛止部）
１３１  第１把持部
１３２  第２把持部
２３２  掛止部（第２掛止部）
【図１】
2016141990.tif 000003
【図２】
2016141990.tif 000004
【図３】
2016141990.tif 000005
【図４】
2016141990.tif 000006
【図５】
2016141990.tif 000007
【図６】
2016141990.tif 000008
【図７】
2016141990.tif 000009
【図８】
2016141990.tif 000010
【図９】
2016141990.tif 000011
【図１０】
2016141990.tif 000012
【図１１】
2016141990.tif 000013
【図１２】
2016141990.tif 000014
【図１３】
2016141990.tif 000015